(57)【要約】【課題】洗浄ノズルに対する洗浄水の供給を的確に切り換えて、洗浄効率を向上させる。【解決手段】洗浄水が供給される洗浄ノズル８を切り換える分水手段１７を備え、前記分水手段１７の弁体２３は、流出部２０の閉塞部に弾性体２５を設けるとともに、前記流出部２０に対する進退動作にともなって前記弁体２３を回動させる係合部２７、２８を有し、前記係合部２７、２８は、前記弁体２３が流出部２０側への近接変位に応動して回動し、回動方向に対して前記係合部２７、２８の後端側に前記弁体２３を前記流出部２０側へ直動させる垂直部４１を設けたものであり、閉塞部に対して、垂直に弾性面を当接でき、洗浄水が供給される流出部２０以外への水漏れをなくして、効率よく洗浄水を噴出させることができる。【選択図】図３
2006325912.tif 000002
【特許請求の範囲】
【請求項１】
被洗浄物を収容する洗浄槽と、洗浄水を加圧する洗浄ポンプと、前記洗浄槽内の洗浄水を噴射する複数の噴射口を有する洗浄ノズルと、前記洗浄ポンプからの洗浄水が供給される洗浄ノズルを切り換える分水手段とを備え、前記分水手段は、前記洗浄ポンプで加圧された洗浄水が流入する流入部と、前記複数の洗浄ノズルに各々連通した複数の流出部を有するケーシングと、前記流出部の少なくとも１つと対向するように開口部を設けるとともに、前記開口部が対向する前記流出部が切り換わるように前記ケーシング内に回動可能に設けた弁体を有し、前記弁体は、前記流出部の閉塞部に弾性体を設けるとともに、前記流出部に対して進退自在に設けられ、前記弁体の進退動作にともなって前記弁体を回動させる係合部を有し、前記係合部は、前記弁体が流出部側への近接変位に応動して回動し、回動方向に対して前記係合部の後端側に前記弁体を前記流出部側へ直動させる垂直部を設けた食器洗い機。
【請求項２】
係合部は、回動方向に対して前端側を少なくとも弾性体の表面まで傾斜を設けた請求項１記載の食器洗い機。
【発明の詳細な説明】
【技術分野】
【０００１】
本発明は、食器等を洗浄する食器洗い機に関するものである。
【背景技術】
【０００２】
従来、一般的な食器洗い機は、図１５に示すように構成していた。以下、その構成について説明する。図に示すように、食器洗い機本体６１は、内部に洗浄槽６２を設けており、この洗浄槽６２内へ給水弁６３により水または湯を供給する。洗浄槽６２の底部には排水口６４を設け、この排水口６４に連通し、モータによって駆動される洗浄ポンプ６５を取り付け、この洗浄ポンプ６５により洗浄水を洗浄槽６２の内部に循環するよう構成している。また、排水口６４には残さいを捕集する残さいフィルタ６６を具備している。
【０００３】
すなわち、洗浄水が残さいフィルタ６６を通過し、洗浄ポンプ６５に吸い込まれ、洗浄ポンプ６５より洗浄槽６２の内底部に設けた洗浄手段（洗浄ノズル）６７に供給され、この洗浄ノズル６７から噴射され、食器（被洗浄物）６９を洗浄した後、再び排水口６４に戻るという経路で循環される。この際、食器６９から脱落した残さい等は、洗浄水とともに残さいフィルタ６６に流入し、フィルタ６６を通過できない大きさの残さいは捕集される。
【０００４】
また、洗浄ノズル６７と洗浄槽６２の底部との間には、洗浄水加熱用のヒータ６８を装備し、洗浄ノズル６７の上方には、食器６９を整然と配置でき、洗浄水を効果的に食器６９に噴射するように構成した食器かご７０を設置して効率的に洗浄を行っている。また、排水ポンプ７１は、排水経路７２を通して洗浄水を機外に排出するものである。
【０００５】
しかしながら、このような食器洗い機では、一般家庭等で使用される様々な形状の食器等の被洗浄物６９に対して、洗浄水は下方からの噴射のみであり、食器かご７０にセットしたすべての食器６９を十分に洗浄すること困難であった。また、洗浄槽６２の上方からの噴射がない場合、湯呑みや汁椀など糸底のある食器類は、細かな残さいが糸底に堆積しやすく、また全体のすすぎ性能も不十分であることから、複数個の洗浄ノズルを用いて多方向からの洗浄水の噴射を行うことが考えられている（例えば、特許文献１参照）が、給水量の増大によって洗浄水の温度上昇時間が長くなり、結果として運転時間が延び、消費電力量および使用水量が増える。また、この問題の解決するために、複数個の洗浄ポンプを用いることも考えられている（例えば、特許文献２参照）が、洗浄ポンプが各洗浄ノズル毎に必要であることから、食器洗い機全体に占める洗浄機構部の容積が増大するため、食器洗浄に必要な容積を十分に確保することができないものである。そこで、洗浄水を供給する洗浄ノズルを選択的に切り換える切り換え手段を設け、３方弁等を用いることにより少量の水で、多方向から効率的に洗浄することが考えられている（例えば、特許文献３参照）。
【特許文献１】特開平５−３０５０５０号公報
【特許文献２】特開平５−１７６８７５号公報
【特許文献３】特開２００３−３３９６０８号公報
【発明の開示】
【発明が解決しようとする課題】
【０００６】
しかしながら、このような回動自在な弁体を用いた切り換え手段によれば、洗浄水を供給する分水路以外の他の複数の分水路へも洗浄水が漏れて、複数の洗浄ノズルに対して洗浄水の供給を的確に切り換えることができないという問題があった。
【０００７】
本発明は、上記従来の課題を解決するもので、洗浄ノズルに対する洗浄水の供給を的確に切り換えて、洗浄効率を向上させることを目的とする。
【課題を解決するための手段】
【０００８】
前記従来の課題を解決するために、本発明の食器洗い機は、洗浄ポンプで加圧された洗浄水が流入する流入部と、複数の洗浄ノズルに各々連通した複数の流出部を有するケーシングと、前記流出部の少なくとも１つと対向するように開口部を設けるとともに、前記開口部が対向する前記流出部が切り換わるように前記ケーシング内に回動可能に設けた弁体を有し、前記弁体は、前記流出部の閉塞部に弾性体を設けるとともに、前記流出部に対して進退自在に設けられ、前記弁体の進退動作にともなって前記弁体を回動させる係合部を有し、前記係合部は、前記弁体が流出部側への近接変位に応動して回動し、回動方向に対して前記係合部の後端側に前記弁体を前記流出部側へ直動させる垂直部を設けたものである。
【０００９】
これにより、流出部の閉塞部に対して、垂直に弾性面を当接でき、弾性体が回動方向にずれることなく、閉塞された流出部からの水漏れを防止することができる。
【発明の効果】
【００１０】
本発明の食器洗い機は、洗浄ノズルに対する洗浄水の供給を的確に切り換えて、洗浄効率を向上させることができる。
【発明を実施するための最良の形態】
【００１１】
第１の発明は、被洗浄物を収容する洗浄槽と、洗浄水を加圧する洗浄ポンプと、前記洗浄槽内の洗浄水を噴射する複数の噴射口を有する洗浄ノズルと、前記洗浄ポンプからの洗浄水が供給される洗浄ノズルを切り換える分水手段とを備え、前記分水手段は、前記洗浄ポンプで加圧された洗浄水が流入する流入部と、前記複数の洗浄ノズルに各々連通した複数の流出部を有するケーシングと、前記流出部の少なくとも１つと対向するように開口部を設けるとともに、前記開口部が対向する前記流出部が切り換わるように前記ケーシング内に回動可能に設けた弁体を有し、前記弁体は、前記流出部の閉塞部に弾性体を設けるとともに、前記流出部に対して進退自在に設けられ、前記弁体の進退動作にともなって前記弁体を回動させる係合部を有し、前記係合部は、前記弁体が流出部側への近接変位に応動して回動し、回動方向に対して前記係合部の後端側に前記弁体を前記流出部側へ直動させる垂直部を設けたことにより、流出部の閉塞部に対して、垂直に弾性面を当接でき、弾性体が回動方向にずれることなく、閉塞された流出部からの水漏れを防止することができる。
【００１２】
第２の発明は、第１の発明の係合部は、回動方向に対して前端側を少なくとも弾性体の表面まで傾斜を設けたことにより、弾性体と、流出部の閉塞部が当接している際、係合部の後端側の垂直部と流出部との間に異物が挟まっても、前端側が傾斜面なので、係合部の前端側に弁体は動作可能で、進退動作が停止せず、流出部を切り換えることができる。
【００１３】
以下、本発明の実施の形態について、図面を参照しながら説明する。なお、本実施の形態によって本発明が限定されるものではない。
【００１４】
（実施の形態１）
図１は、本発明の第１の実施の形態における食器洗い機の断面図、図２は、同食器洗い機の要部上面図、図３は、同食器洗い機の分水手段の断面図、図４は、同食器洗い機の分水手段の弁体の上面図、図５は、同食器洗い機の分水手段の上面図である。
【００１５】
図１〜図５に示すように、食器洗い機の本体１には、蓋体４で開閉可能な洗浄槽３を設け、食器等の被洗浄物は食器かご９にセットされ、洗浄槽３内に収容している。洗浄ポンプ６は、給水弁１５から供給された洗浄水を加圧して、複数の噴射孔７を設けた洗浄ノズル（洗浄手段）８に供給し、被洗浄物に向けて洗浄水を噴射する。洗浄槽３の底部には、洗浄水を加熱するヒータ（加熱手段）１０を設けている。送風ファン（図示せず）は、洗浄槽３に空気を送り、その排気を排気口３９より機外へ排出するようにしている。
【００１６】
また、洗浄ポンプ６の吐出経路１４に洗浄水を供給し、洗浄ノズル８への洗浄水の供給を順次切り換える分水手段１７を設置しており、この分水手段１７は、洗浄ポンプ６で加圧された洗浄水が流入する流入部１８と複数の洗浄ノズル８に各々連通した複数の流出部２０を有するケーシング２１と、流出部２０の少なくとも１つと対向するように開口部１９を設けるとともに、開口部１９が対向する流出部２０が切り換わるようにケーシング２１内に回動可能に設けた弁体２３とで構成され、弁体２３は、流出部２０の閉塞部２４に弾性体２５を設けている。
【００１７】
弾性体２５は、ゴムやエラストマー等で形成されている。ケーシング２１は略円筒形であり、その軸方向が略鉛直方向に配置されており、洗浄ポンプ６からの洗浄水が流入する流入部１８はケーシング２１の側面の下部に、流出部２０はケーシング２１の上面に形成している。また、弁体２３は略平面形状をしており、流出部２０と弁体２３との相対する面も平面形状としている。
【００１８】
複数の流出部２０ａ〜２０ｄは、各々吐出経路１４を介して洗浄ノズル８に連結されている。そして、弁体２３の上昇時に弁体２３を所定角度だけ回転させる上部係合部２７と、弁体２３の降下時に弁体２３を所定角度だけ回転させる一組の下部係合部２８とを設けている。
【００１９】
上記構成において、まず、食器洗い機の基本動作について説明する。食器等の被洗浄物２９を食器かご９にセットして洗浄槽３に収納し、洗剤を投入した後、蓋体４により本体１の開口部２を閉塞し、運転を開始する。被洗浄物２９の汚れを落とす洗浄工程、付着した洗剤や残菜を流すすすぎ工程、そして被洗浄物２９に付着している水適を乾燥させる乾燥工程の順に実行する。
【００２０】
まず、洗浄工程は、制御手段１６により、給水弁１５を動作して所定量の洗浄水を洗浄槽３に給水する。この際、洗浄槽３内に設けたヒータ（加熱手段）１０は通電され、洗浄水は加温される。次に、洗浄ポンプ６により洗浄水を加圧し、分水手段１７に供給する。分水手段１７の流入部１８より流入した洗浄水の圧力によって、弁体２３は上部係合部２７の傾斜に従って、回転及び略直動を伴った動作で上昇し、所定の流出部２０が開口するように、弁体２３の開口部１９と所定の流出部２０が一致する位置で固定される（図５）。その他の流出部２０は、弾性体２５により密閉塞され、弁体２３の開口部１９を介して流出部２０と連通した洗浄ノズル８から洗浄水が噴射される。
【００２１】
続いて、洗浄ポンプ６を一旦停止すると、弁体２３を下方から押し上げていた水圧が作用しなくなることから、弁体２３はその自重で降下するが、この際、下部係合部２８の傾斜に従って回転しながら降下し、所定位置で停止する。再び、洗浄ポンプ６を運転すると、上部係合部２７の傾斜に係合され、弁体２３は回転しながら上昇し、弁体２３の開口部１９と、次の流出部２０と連通されることで、次の洗浄ノズル８から洗浄水を噴射する。このように、洗浄ポンプ６を断続的に運転することで、洗浄水が噴射する洗浄ノズル８は、各々の流出部２０ａ、２０ｂ、２０ｃ、２０ｄと連通する順で切り換えることができる。
【００２２】
洗浄水は、残さいフィルタ３０、排水口３１を通過し、洗浄ポンプ６を介して洗浄ノズル（洗浄手段）８から噴射され、洗浄槽３内を循環する。この際、食器２９から脱落した残さい等は、洗浄水とともに残さいフィルタ３０に流入し、フィルタを通過できない大きさの残さいは残さいフィルタ３０に捕集される。
【００２３】
所定時間の洗浄工程を終えると、汚れを含む洗浄水は排水ポンプ３２により本体１外に排出され、給水弁１５から新たに洗浄水が供給される。洗浄ポンプ６を運転し、分水手段１７を経て、洗浄ノズル８から再び洗浄水を噴射して、洗剤や残菜等の付着した被洗浄物２９のすすぎを行う。所定時間運転した後、洗浄水を排出し、再び洗浄水を供給するという動作を繰り返し、このすすぎ工程は連続して３回程度行う。最後に、洗浄水を機外に排出して、すすぎ工程は終了する。
【００２４】
続いて乾燥工程を行い、送風ファン（図示せず）を動作させることにより、送風経路を通って外気が洗浄槽３内に送風され、排気口３９から排出される。この際、ヒータ（加熱手段）１０には通電されており、送風と温度の両方の効果によって被洗浄物２９に付着した水滴の蒸発は促進される。所定時間これらの乾燥工程を行い、運転を終了する。
【００２５】
分水手段１７は、弁体２３に設けられた弾性体２５が、流出部２０を密閉、閉塞するため、順次、洗浄ポンプ６から吐出される洗浄水を、全て開口された所定の流出部２０に送り込め、給水量を増加させることなく、任意の被洗浄物２９に対して複数方向から洗浄水を噴射させることができる。短時間で被洗浄物２９に付着した汚染物を洗浄することができ、高効率洗浄を実現することができる。
【００２６】
また、食器等に付着した洗剤や残さいを短時間ですすぐことができるため、すすぎ回数を削減することが可能である。一回の給水量を増加させることなく、しかもすすぎ回数を削減できることから、排熱を抑えることができ、ヒータ（加熱手段）１０を用いた洗浄水の加熱時間も短縮することができる。よって、省エネ、省水量をも実現することができる。
【００２７】
また、給水量を増大させることなく洗浄ノズル８の数を増やすことができるため、食器等の被洗浄物２９に対してより多方向から洗浄水を噴射させる洗浄方式とすることができる。よって、使用者は被洗浄物２９の食器かご９へのセット位置や、縦置き、伏せ置き等のセット方法を選ぶことなく自由にセットできるため、よりセット性に優れた食器洗い機とすることができる。
【００２８】
また、弁体２３が、流出部２０に対して進退自在に設けられ、弁体２３の進退動作にともなって弁体２３を回動させる上部係合部２７を有し、上部係合部２７は、弾性体２５を通して流出部２０側へ突出させることで、上部係合部２７により弁体２３が回動する際には、弾性体２５と流出部２０とは、当接せず、流出部２０を閉塞する際に、弾性体２５と流出部２０が当接する。
【００２９】
したがって、弾性体２５が流出部２０に押し付けられた状態で移動することがほとんど無い。弾性体２５と接触することで、弁体２３の回動動作が不安定になることがなく、確実に、流出部２０を切り換えることができる。また、両者の接する面はほとんど摩耗しないため、使用に伴う経時変化は小さく、摩耗に伴い切り換え性能や部品の強度等が初期状態より損なわれることはない。
【００３０】
また、弾性体２５と弁体２３の固定は、図６および図７に示したように、弁体２３は、流出部２０と対向する位置に固定部３５を設け、固定部３５で弾性体２５を保持する構成としている。樹脂製の固定部３５は、あらかじめ弁体２３から略棒状の固定部３５を突出させておき、弾性体２５を装着してから、固定部３５の先端を溶かして、弾性体２５と溶着してもよい。もちろん、ビスやかしめ部材を用いてもよい。また、表面積の大きなステンレスなどの不錆性の金属や樹脂を溶着等で固定することで、弾性体２５を固定してもよい。
【００３１】
また、固定部３５の押え代（肉盛部、ビス頭等）が、弾性体２５の流出部２０と当接する表面より突出しないように、弾性体２５にザグリを設けることで、弁体２３が回動動作時、水圧のバランス等により傾いても、固定部３５と接触することなく、確実に動作することができる。
【００３２】
したがって、固定部３５が、弁体２３の動作に伴い、流出部２０と弁体２３との密着部に当接することがないので、水漏れが無く、更に、弾性体２５と弁体２３とが剥がれたり、ずれたりすること無く、確実に固定できるので、洗浄性能を維持することができる。
【００３３】
また、本構成では、弁体２３の上昇動作は加圧された洗浄水の圧力で、降下動作は弁体２３の自重で行うようになっており、弁体２３の軸方向は略鉛直方向にとる必要がある。この場合、弁体２３の比重は１以上が必要であり、加圧時に弁体２３が上昇可能な重さの範囲で、できるだけ重いほど、確実にすばやく降下および回転動作を行え、分水手段１７の切り換え性能は高くなる。
【００３４】
また、図８に示したように、弁体２３は、弾性体２５を設けた反対面に錘３６を有し、錘３６は、弁体２３に設けた開口部１９の反対側に切り欠き３７を設けてもよい。これにより、弁体２３が流出部２０を切り換える際に、進退動作時に、傾きが少なくなり、動作がスムーズになって、弁体２３はすばやく所定の位置に移動することができる。したがって、流出部２０の切り換え時間が短縮でき、洗浄及びすすぎ時間も短縮できるものである。
【００３５】
なお、ケーシング２１内は、洗浄ポンプ６の運転時には、通常、２０〜４０ｋＰａ程度まで加圧されるため、弁体２３の大きさにもよるが、２〜１０ｋｇ程度の力が作用することになり、弾性体２５は、強固に流出部２０に押し付けられることになる。
【００３６】
なお、本実施の形態では、４ヶ所の流出部２０に順次切り換えるため、一回の停止と運転で９０度、弁体２３は回転する構成である。
【００３７】
また、この係合部２７、２８は、螺旋形や三角などの本形状に限定するものではなく、洗浄ポンプ６を断続的に運転することで、洗浄ポンプ６を運転中に所定の流出部２０と弁体２３の開口部１９が一致すればよい。また、弁体２３の外周部など、係合部の位置を限定するものでもない。
【００３８】
（実施の形態２）
図９は、本発明の実施の形態２における分水手段１７の要部断面図である。図９に示すように、弁体２３は、流出部２０の閉塞部に弾性体２５を設けるとともに、弾性体２５の外周縁部が弁体２３の外周部より内側に位置するように設けている。
【００３９】
次に、本発明の食器洗い機の動作、作用について説明する。洗浄ポンプ６より吐出された洗浄水は、分水手段１７の流入部１８よりケーシング２１内に流入する。洗浄水の水圧を受けた弁体２３は、上昇するとともに上部係合部２７により回動して、流出部２０の閉塞部に弾性体２５が当接する。弁体２３が上昇する間、各流出部２０から洗浄水を少量吐出する。その際、洗浄水は、弁体２３の開口部１９およびその外周縁部と接触しながら、弁体２３の上昇速度より速く流出部２０へケーシング２１内を通過する。弾性体２５は、流出部２０の閉塞部に設けられる大きさで、かつ、弁体２３の外周よりも内側に位置するので、弁体２３上昇時の洗浄水の水流や洗浄水に含まれる異物の流れによる影響が少ない。
【００４０】
また、洗浄ポンプ６の動作時、異物などが詰まり、弁体２３が流出部２０と当接しない場合、弁体２３の外周部に洗浄水が通過するが、同様に、水流による影響は少ない。再度、弁体２３が、所定の位置に戻っても、初期状態を保っている。また、弾性体２５が、流出部２０を閉塞している際に、開口部１９を洗浄水が通過する時にも、水流等による影響は少ないものである。
【００４１】
これにより、弁体２３の外周縁部を流れる洗浄水に、弾性体２５の端面が大きく力を受けること無く、弾性体２５の端面が浮き上がったリ、剥がれたりすることが少なくなるものである。したがって、弾性体２５と弁体２３との間に異物が入って、当接面に凹凸が生じたり、弾性体２５が剥がれたりして、流出部２０と弁体２３との密閉性が損なわれることなく、閉塞されている流出部２０への水漏れを防止することができる。
【００４２】
また、図１０および図１１に示したように、弁体２３は、弾性体２５の外周縁部の外側に流出部２０側へ突出するガイド部３８を設けてもよい。これにより、弁体２３の外周縁部を流れる洗浄水から、弾性体２５の端面が保護されるので、水流による力を大きく受けることがなく、弾性体２５の端面が浮き上がったリ、剥がれたりすることが少なくなるものである。したがって、弾性体２５と弁体２３との間に異物が入って、密閉性が損なわれることなく、閉塞されている流出部２０への水漏れを防止することができる。
【００４３】
また、図１２に示したように、ガイド部３８は、弾性体２５が流出部２０と当接する面より突出するように設け、流出部２０の外側に嵌合する構成としたことにより、弾性体２５の端面を洗浄水から保護するとともに、弁体２３が回動時、傾いても、ガイド部３８が先に流出部２０と接触し、弾性体２５が流出部２０と当接するのは、回動動作が終わってからになる。回動動作終了後、ガイド部３８が流出部２０の外側に嵌合すると同時に、弾性体２５が流出部２０と当接するもので、弾性体２５が流出部２０に押し付けられた状態で移動することはない。したがって、弾性体２５が弁体２３の回動動作を妨げることなく、更に、両者の当接面はほとんど摩耗しないため、使用に伴う経時変化は小さく、摩耗に伴い切り換え性能や部品の強度等が初期状態より損なわれることはない。
【００４４】
また、図１３は、弁体２３の中心部に環状に設けた係合部２７、２８を平面に引き伸ばしてその関係を示したものである。図１３に示したように、上部係合部２７は、弁体２３が流出部２０側への近接変位に応動して回動する。回動方向に対して上部係合部２７の後端側に弁体２３を流出部２０側へ直動させる垂直部４１を設け、垂直部４１の高さをガイド部３８より高く設定してもよい。
【００４５】
これにより、弁体２３の回動時には、ガイド部３８のみが流出部２０と接触することがないので、回動動作を妨げることがない。したがって、水漏れなく流出面２０を閉塞でき、洗浄性能を向上させることができる。
【００４６】
また、図１０に示したように、ケーシング２１に弁体２３の進退動作を案内する軸部４２を設けるとともに、弁体２３に軸部４２を貫通させる孔部４３を設け、孔部４３に弾性体２５の内周縁部の内側に位置する壁部４４を設けてもよい。
【００４７】
これにより、弁体２３が傾いても、弾性体２５の内周縁部が壁部４４で保護されているため、弁体２３の回動及び進退動作を妨げることなく、流出部２０の切り換え動作を行うことができる。また、弁体２３の内周縁部を流れる洗浄水に、弾性体２５の端面が大きく力を受けることがないので、弾性体２５の端面が浮き上がったリ、剥がれたりすることが少なくなるものである。したがって、弾性体２５と弁体２３との間に異物が入って、当接面に凹凸ができ、密閉性が損なわれることなく、閉塞されている流出部２０への水漏れを防止することができる。
【００４８】
また、弁体２３を貫通した軸部４２は、弁体２３の直動の安定性を高め、弁体２３の脱落を防止するよう作用するが、必須ではなく、外周部や係合部２７、２８等によってこれらの作用が得られれば、特に必要はなく、この構成に限定するものではない。
【００４９】
また、弁体２３は、流出部２０の閉塞部に弾性体２５を設けるとともに、流出部２０に対して進退自在に設けられ、弁体２３の進退動作にともなって弁体２３を回動させる係合部２７、２８を有し、上部係合部２７は、弁体２３が流出部２０側への近接変位に応動して回動し、回動方向に対して上部係合部２７の後端側に弁体２３を流出部２０側へ直動させる垂直部４１を設けてもよい。
【００５０】
図１３に示すように、洗浄ポンプ６の運転・停止を繰り返すことで、上下方向の略直動と回転運動を組み合わせた動作をしながら弁体２３の位置は順次切り換わる。この上部係合部２７は、洗浄ポンプ６を運転し、弁体２３が流出部２０に当接する直前は、弁体２３は略直動するように作用する。
【００５１】
このため、加圧された洗浄水により移動させられる弁体２３は、回転動作せずに流出部２０に当接するため、弁体２３が流出部２０に押し付けられながら移動することはなく、両者の接する面はほとんど摩耗しないため、使用に伴う径時変化は小さく、摩耗に伴い切り換え性能や部品の強度等が初期状態より損なわれることはない。これにより、流出部２０の閉塞部に対して、垂直に弾性面を当接でき、弾性体２５が回動方向にずれることなく、閉塞された流出部２０からの水漏れを防止する。
【００５２】
また、上部係合部２７は、図１４のように、回動方向に対して前端側を少なくとも弾性体２５の表面まで傾斜を設けてもよい。これにより、弾性体２５と、流出部２０の閉塞部が当接している際、上部係合部２７の後端側の垂直部４１と流出部２０との間に異物が挟まっても、前端側が傾斜面で、上部係合部２７の前端側に弁体２３は、動作可能なので、進退動作が停止せず、流出部２０を切り換えることができる。つまり、分水手段１７の切り換え不良により洗浄効率を低下させることはない。
【００５３】
なお、弾性体２５は、平面形状としたが、これに限定するものではなく、円錐形上や球体であっても、水圧により流出部２０に押し付けることは可能である。
【００５４】
また、複数個の洗浄ノズル８のうち噴射される洗浄ノズル８は１ヶ所のみとしたが、弁体２３の開口部１９を２ヶ所、あるいはそれ以上設けることで、複数個の洗浄ノズル８から同時に噴射させ、その位置を切り換えることも可能である。
【００５５】
なお、本発明は洗浄水の切換方式に関するものであり、食器洗い機の本体１の形状や大きさ、扉４の開閉方式、食器の配置、個々の部品の配置等を限定するものではない。また、実施の形態では、乾燥機能を有する食器洗い乾燥機の例を示したが、乾燥機能を伴わない食器洗い機においても同様の効果が得られる。
【産業上の利用可能性】
【００５６】
以上のように、本発明にかかる食器洗い機は、洗浄ノズルに対する洗浄水の供給を的確に切り換えることができるので、洗浄機として有用である。
【図面の簡単な説明】
【００５７】
【図１】本発明の実施の形態１における食器洗い機の断面図
【図２】同食器洗い機の要部上面図
【図３】同食器洗い機の分水手段の断面図
【図４】同食器洗い機の分水手段の弁体の上面図
【図５】同食器洗い機の分水手段の上面図
【図６】同食器洗い機の分水手段の他の例の断面図
【図７】同食器洗い機の分水手段の他の例の上面図
【図８】同食器洗い機の分水手段の弁体の他の例の下面図
【図９】本発明の実施の形態２における食器洗い機の分水手段の断面図
【図１０】同食器洗い機の分水手段の他の例の断面図
【図１１】同食器洗い機の分水手段の他の例の上面図
【図１２】同食器洗い機の分水手段の他の例の断面図
【図１３】同食器洗い機の分水手段の係合部の展開詳細図
【図１４】同食器洗い機の分水手段の係合部の他の例の展開詳細図
【図１５】従来の食器洗い機の断面図
【符号の説明】
【００５８】
３  洗浄槽
６  洗浄ポンプ
８  洗浄ノズル
１７  分水手段
１８  流入部
１９  開口部
２０  流出部
２１  ケーシング
２３  弁体
２５  弾性体
２７  上部係合部（係合部）
２８  下部係合部（係合部）
【図１】
2006325912.tif 000003
【図２】
2006325912.tif 000004
【図３】
2006325912.tif 000005
【図４】
2006325912.tif 000006
【図５】
2006325912.tif 000007
【図６】
2006325912.tif 000008
【図７】
2006325912.tif 000009
【図８】
2006325912.tif 000010
【図９】
2006325912.tif 000011
【図１０】
2006325912.tif 000012
【図１１】
2006325912.tif 000013
【図１２】
2006325912.tif 000014
【図１３】
2006325912.tif 000015
【図１４】
2006325912.tif 000016
【図１５】
2006325912.tif 000017